(57)【要約】【目的】ウェブ状包装材料表面にスパウト、ストロー穴などの凹凸があっても、実質的に完全に殺菌液を除去することができる殺菌装置を提供することを目的とする。【構成】殺菌装置は、ウェブ状包装材料表面に殺菌液を付して残留殺菌液を除去する殺菌装置であって、残留殺菌液を除去するように、２本のスクイーズローラで包装材料を挟み、第１スクイーズローラが第２スクイーズローラの径より大きい径を持ち、第１スクイーズローラの表面が柔軟であることを特徴する。【選択図】        図１
2004196327.tif 000002
【特許請求の範囲】
【請求項１】
ウェブ状の包装材料表面に殺菌液を連続的に付して付着した該殺菌液を除去する殺菌装置であって、
付着した該殺菌液を除去するように、該包装材料を挟む２本のスクイーズローラを有し、第１の該スクイーズローラが第２の該スクイーズローラの径より大きい径を持ち、第１の該スクイーズローラの少なくとも表面が柔軟である
ことを特徴する殺菌装置。
【請求項２】
ウェブ状の包装材料表面に凹凸があり、該凹凸を有する包装材料表面側に第１の該スクイーズローラが接触するように配置された
請求項１記載の殺菌装置。
【発明の詳細な説明】
【０００１】
本発明は、ウェブ状の包装材料表面に殺菌液を付して残留殺菌液を除去する殺菌装置に関する。
【０００２】
【従来の技術】
ジュースや牛乳などの液体食品などを充填した幾つかの紙製容器の包装充填システムにおいては、所定の折り目線を有するウェブ状包装材料をチューブ状に成形し、該包装材料の両端部が重ねられてオーバーラップが形成され、該オーバーラップでチューブの縦線方向に縦シールし、チューブ状包装材料内に食品を充填し、所定間隔毎にチューブ状包装材料を押圧し横断方向の横シールにより密封し、横シール帯域中間で切断して枕状予備成形体を得、折り目線に沿って折り畳むことにより形成された横シール帯域を含むフラップを容器側壁及び容器底面にシールし、最終形状の容器を得る。
その紙製容器の充填包装機の一例の概要を、図２に示す。この例に示す充填機では、内外層に熱可塑性材料層を有しロール状に巻かれた包装材料ウェブ１を巻き出し、ローラにより充填機内を搬送し、ストリップテープ２をストリップテープアプリケータ３により、包装材料ウェブの一端に接合し、殺菌液槽４内を包装材料ウェブが通過して殺菌され、２本のスクイーズローラ５によって包装材料表面に付着した殺菌液を除去し、エアーナイフ（図示せず）により殺菌液を実質的に完全に除去し、成形ローラ６によりチューブ状に成形し、包装材料の両端部を重ねてオーバーラップを形成し、オーバーラップで縦線方向に縦シールエレメント８によりチューブ縦方向にシールして縦シール帯域を形成し、そのチューブ内に充填パイプ７から液体食品を充填し、このチューブを包装容器１個分に相当する長さ分だけ下方に送りながら、シールジョー（図示せず）及び対向ジョー（図示せず）により挟持し、横断方向に横シールして２本の横シール帯域を形成し、同時に枕状予備成形体９に連続的に成形し、繋がった枕状予備成形体のシール帯域の中間をナイフなどにより切断して個々の枕状予備成形体９に切り離し、ファイナルフォルダー（図示せず）において切り離された枕状予備成形体の上下のフラップを折り曲げて最終形態の包装充填容器に成形する。
【０００３】
【発明が解決しようとする課題】
しかしながら、ウェブ状の包装材料、特に、その表面にスパウト、ストロー穴などの凹凸がある場合、殺菌液槽４内を通過した包装材料ウェブ表面から殺菌液を除去するために、２本のスクイーズローラ５によって包装材料を挟み搾り落としても、殺菌液を完全に除去することが難しいこともあり、殺菌液残留などの不都合がある。
本発明は、ウェブ状の包装材料表面にスパウト、ストロー穴などの凹凸があっても、実質的に完全に殺菌液を除去することができる殺菌装置を提供することを目的とする。
【０００４】
【課題を解決するための手段】
この課題を解決するために本発明の殺菌装置は、ウェブ状の包装材料表面に殺菌液を付して残留殺菌液を除去する殺菌装置であって、残留殺菌液を除去するように、２本のスクイーズローラで包装材料を挟み、第１のスクイーズローラが第２のスクイーズローラの径より大きい径を持ち、第１のスクイーズローラの少なくとも表面が柔軟であることを特徴する。
このように構成したことにより、径の大きい第１スクイーズローラ表面がより広く、時間的にかつ距離的により長く包装材料表面と接触し、そのスクイーズローラ表面が柔軟であるので、より効果的に確実に残留付着殺菌液をその表面から除去することができる。
【０００５】
【発明の実施の形態】
本発明の請求項１に記載の発明は、ウェブ状の包装材料表面に殺菌液を連続的に付して付着した該殺菌液を除去する殺菌装置であって、付着した残留殺菌液を除去するように、包装材料を挟む２本のスクイーズローラを有し、第１スクイーズローラが第２スクイーズローラの径より大きい径を持ち、第１スクイーズローラの少なくとも表面が柔軟であることを特徴する。
上記構成により、包装材料が２本のスクイーズローラで挟まれ、通過するので、径の大きい第１スクイーズローラがゆっくりと回転し、スクイーズローラの接線方向表面がより緩やかに傾斜する。その結果、径の大きい第１スクイーズローラ表面に接触する側の包装材料表面は、時間的にかつ距離的により長く第１スクイーズローラ表面と接触する。更に、第１のスクイーズローラの少なくとも表面が柔軟であるので押付ける圧力で扁平になり、上記の作用効果が倍増するという作用を有する。
【０００６】
本発明の請求項２に記載の発明は、ウェブ状の包装材料表面に凹凸があり、その凹凸を有する包装材料表面側に第１スクイーズローラが接触するように配置される殺菌装置である。
上記構成により、ウェブ状の包装材料表面にスパウト、ストロー穴などの凹凸があっても、その凹凸表面に沿って、柔軟性第１スクイーズローラ表面が変形し密着して実質的に完全に殺菌液を除去することができる作用を有する。
【０００７】
以下、本発明の実施の形態について、説明する。
図１は、本発明の殺菌装置であって、包装材料を挟む２本のスクイーズローラ５の一実施態様を示す断面図である。この図では、包装材料１を挟む２本のスクイーズローラ５ａ、５ｂを示す。
【０００８】
図２に示す包装充填機において、殺菌液槽４内を包装材料ウェブが通過して殺菌され、２本のスクイーズローラ５によって包装材料表面に付着した殺菌液を除去し、エアーナイフ（図示せず）により殺菌液を実質的に完全に除去される。
本態様の殺菌装置の２本のスクイーズローラ５ａ、５ｂでは、残留殺菌液を除去するように、図１（ａ）に示すように、２本のスクイーズローラで包装材料１を挟み、第１スクイーズローラ５ａが第２スクイーズローラ５ｂの径より大きい径を持ち、第１スクイーズローラ５ａの表面が柔軟性を有する。
【０００９】
次いで、この態様の機能動作を説明する。
この態様では、包装材料１が２本のスクイーズローラ５ａ、５ｂで挟まれ、通過する。径の大きい第１スクイーズローラ５ａがゆっくりと回転し、スクイーズローラ５ａの接線方向表面がより緩やかに傾斜する。その結果、径の大きい第１スクイーズローラ表面に接触する側の包装材料１の表面は、時間的にかつ距離的により長く第１スクイーズローラ表面と接触する。更に、第１のスクイーズローラ５ａの表面が柔軟であるために、押付ける圧力によって扁平になる。
【００１０】
この発明の好ましい態様を、図２（b）に示す。
この態様では、ウェブ状の包装材料表面に凹凸２１のがあり、その凹凸を有する包装材料１の表面側に第１スクイーズローラ５ａが接触するように配置される。
ウェブ状の包装材料表面にスパウト、ストロー穴などの凹凸２１があっても、その凹凸表面に沿って、柔軟性第１スクイーズローラ５ａの表面が変形し密着して完全に殺菌液を除去する。
【００１１】
【発明の効果】
以上説明したように本発明の殺菌装置によって、ウェブ状の包装材料表面にスパウト、ストロー穴などの凹凸があっても、実質的に完全に殺菌液を除去することができる。
【図面の簡単な説明】
【図１】この発明による殺菌装置であって、包装材料を挟む２本のスクイーズローラの一実施態様を示す断面図
【図２】この発明に用いられる包装充填機の外観斜視図
【符号の説明】
１  ・・・包装材料ウェブ
２  ・・・ストリップテープ２
５  ・・・スクイーズローラ
【図１】
2004196327.tif 000003
【図２】
2004196327.tif 000004